(57)【要約】【課題】本発明は、音楽プレイヤー及び音楽プレイヤーの制御方法に関し、例えば携帯型音楽プレイヤーに適用して、異なる複数のファイル管理システムに対応可能に音楽プレイヤーを構成する場合において、ファイルの一覧表示における不都合を有効に回避する。【解決手段】本発明は、ファイルの一覧表示において、ユーザーの選択したシステムに対応する管理テーブルの曲名のみ選択的に表示する。【選択図】        図１
2008198288.tif 000002
【特許請求の範囲】
【請求項１】
記録媒体に記録された音楽ファイルを再生してユーザーに提供する音楽プレイヤーにおいて、
前記記録媒体に記録された前記音楽ファイル、他のファイルを再生する再生部と、
前記再生部で再生された前記他のファイルを外部機器に出力するインターフェースと、
前記記録媒体に記録されたファイルの情報を表示する表示部と、
前記表示部の表示に必要な情報を取得し、各部の動作を制御する制御部とを備え、
前記記録媒体は、
複数の音楽ファイル群に分類されて前記音楽ファイルが記録され、
前記複数の音楽ファイル群に対応して、対応する前記音楽ファイル群に属する前記音楽ファイルの曲名をそれぞれ記録した複数の管理テーブルが設けられ、
前記制御部は、
ユーザーの選択に応じて前記複数の管理テーブルのうちの１つを選択し、該選択した管理テーブルの記録に基づいて、対応する前記音楽ファイル群からユーザーの選択した音楽ファイルを検出して再生し、
前記記録媒体に記録されたファイルの一覧表示において、ユーザーの選択に応じて前記複数の管理テーブルのうちの１つを選択し、他の管理テーブルに対応する前記音楽ファイル群の前記音楽ファイルを表示対象から除外し、該選択した管理テーブルに記録された曲名を、前記他のファイルのファイル名と共に表示する
ことを特徴とする音楽プレイヤー。
【請求項２】
前記制御部は、
前記記録媒体に記録されたファイルの一覧表示において、前記記録媒体に記録された前記音楽ファイルの属するディレクトリの解析により、前記他の管理テーブルに対応する前記音楽ファイル群の前記音楽ファイルを表示対象から除外する
ことを特徴とする請求項１に記載の音楽プレイヤー。
【請求項３】
前記インターフェースは、
前記外部機器から前記音楽ファイル、前記他のファイルを入力し、
前記音楽プレイヤーは、
前記インターフェースを介して入力される前記音楽ファイル、前記他のファイルを前記記録媒体に記録する記録部を有する
ことを特徴とする請求項１に記載の音楽プレイヤー。
【請求項４】
記録媒体に記録された音楽ファイルを再生してユーザーに提供する音楽プレイヤーの制御方法において、
前記音楽プレイヤーは、
前記記録媒体に記録された前記音楽ファイル、他のファイルを再生する再生部と、
前記再生部で再生された前記他のファイルを外部機器に出力するインターフェースと、
前記記録媒体に記録されたファイルの情報を表示する表示部と、
前記表示部の表示に必要な情報を取得し、各部の動作を制御する制御部とを備え、
前記記録媒体には、
複数の音楽ファイル群に分類されて前記音楽ファイルが記録され、
前記複数の音楽ファイル群に対応して、対応する前記音楽ファイル群に属する前記音楽ファイルの曲名をそれぞれ記録した複数の管理テーブルが設けられ、
前記音楽プレイヤーの制御方法は、
ユーザーの選択に応じて前記複数の管理テーブルのうちの１つを選択し、該選択した管理テーブルの記録に基づいて、対応する前記音楽ファイル群からユーザーの選択した音楽ファイルを検出して再生する音楽提供のステップと、
前記記録媒体に記録されたファイルの一覧表示において、ユーザーの選択に応じて前記複数の管理テーブルのうちの１つを選択し、他の管理テーブルに対応する前記音楽ファイル群の前記音楽ファイルを表示対象から除外し、該選択した管理テーブルに記録された曲名を、前記他のファイルのファイル名と共に表示するファイル表示のステップとを有する
ことを特徴とする音楽プレイヤーの制御方法。
【発明の詳細な説明】
【技術分野】
【０００１】
本発明は、音楽プレイヤー及び音楽プレイヤーの制御方法に関し、例えば携帯型音楽プレイヤーに適用することができる。本発明は、ユーザーの選択したシステムに対応する管理テーブルの曲名のみ選択的に表示することにより、異なる複数のファイル管理システムに対応可能に音楽プレイヤーを構成する場合において、ファイルの一覧表示における不都合を有効に回避する。
【背景技術】
【０００２】
従来、携帯型音楽プレイヤーは、記録媒体に管理テーブルを形成し、この管理テーブルを用いたファイル管理システムにより音楽ファイルを処理し、ユーザーの利便を図っている。
【０００３】
すなわち携帯型音楽プレイヤーは、所定の規則に従って順次ファイル名を設定して音楽ファイルを記録すると共に、各音楽ファイルの曲名、ファイル名を管理テーブルに記録する。具体的に、携帯型音楽プレイヤーは、例えば記録の順番に番号、アルファベット等を割り当てて、各音楽ファイルのファイル名を設定する。また携帯型音楽プレイヤーは、曲名の一覧表示をユーザーが指示すると、この管理テーブルに記録された曲名を一覧表示する。またこの一覧表示において、ユーザーが曲名を選択して再生を指示すると、この管理テーブルに記録されたファイル名に従って対応する音楽ファイルを再生する。
【０００４】
これにより携帯型音楽プレイヤーでは、曲名が同一の異なる音楽ファイルを記録する場合でも、さらには同一の音楽ファイルを複数回記録する場合でも、これらの音楽ファイルを識別して確実にユーザーの所望する音楽ファイルを再生する。
【０００５】
また携帯型音楽プレイヤーは、例えばアーティスト名、アルバム名、プレイリスト等をこの管理テーブルに記録し、ユーザーの指示により記録媒体に記録されたアーティスト名、アルバム名、プレイリストを一覧表示してユーザーの選択を受け付ける。またユーザーがアーティスト名、アルバム名、プレイリストにより音楽ファイルの再生を指示すると、管理テーブルの記録に従って対応するアーティスト名、アルバム名、プレイリストの音楽ファイルを順次再生する。
【０００６】
また携帯型音楽プレイヤーは、コンピュータ等の外部機器を接続して、外部機器により直接アクセスして種々のファイルを記録再生することができ、これによりコンピュータ等の外部記憶装置として使用することができる。携帯型音楽プレイヤーは、このような外部記憶装置としての使用に係るファイルについては、管理テーブルに記録しないようにし、記録媒体に記録されたファイルの一覧表示をユーザーが指示すると、ファイル名を表示する。これにより携帯型音楽プレイヤーは、ファイルの一覧表示において、外部記憶装置としての使用に係るファイルを簡易に確認することができる。
【０００７】
このような音楽プレイヤーに関して、特開２００５−１３５４７２号公報には、ファイル形式により再生可能なファイルを選択して一覧表示する構成が開示されている。
【０００８】
ところで携帯型音楽プレイヤーは、管理テーブルの構成が異なる種々のファイル管理システムが採用されている。従って異なる複数のファイル管理システムに対応可能に携帯型音楽プレイヤーを構成すれば、ユーザーの利便を図ることができると考えられる。
【０００９】
すなわち異なる複数のファイル管理システムに対応可能に携帯型音楽プレイヤーを構成すれば、例えばそれまでの古い携帯型音楽プレイヤーに蓄積した音楽ファイルを管理テーブルと共にアップロードし、これらの音楽ファイルを新しい携帯型音楽プレイヤーで楽しむことができる。また使い慣れた音楽ファイルをダウンロードするアプリケーションプログラムを、新しく購入した携帯型音楽プレイヤーで使い続けることもできる。
【００１０】
しかしながら異なる複数のファイル管理システムに対応可能に携帯型音楽プレイヤーを構成した場合には、ファイルの一覧表示において、不都合が発生する問題がある。
【００１１】
すなわち携帯型音楽プレイヤーでは、管理テーブルに記録されていないファイルについては、ファイル名をそのまま表示することから、例えば２つのファイル管理システムに対応可能に携帯型音楽プレイヤーを構成した場合、一方のファイル管理システムの音楽ファイルは、この音楽ファイルのファイル名がそのまま表示されることになる。従ってこの場合、この他方のファイル管理システムにおける一定の規則に従って順次設定されたファイル名が一覧表示されることになり、携帯型音楽プレイヤーが故障したかのような印象をユーザーに与えることになる。
【特許文献１】特開２００５−１３５４７２号公報
【発明の開示】
【発明が解決しようとする課題】
【００１２】
本発明は以上の点を考慮してなされたもので、異なる複数のファイル管理システムに対応可能に音楽プレイヤーを構成する場合において、ファイルの一覧表示における不都合を有効に回避することができる音楽プレイヤー、音楽プレイヤーの制御方法を提案しようとするものである。
【課題を解決するための手段】
【００１３】
上記の課題を解決するため請求項１の発明は、記録媒体に記録された音楽ファイルを再生してユーザーに提供する音楽プレイヤーに適用して、前記記録媒体に記録された前記音楽ファイル、他のファイルを再生する再生部と、前記再生部で再生された前記他のファイルを外部機器に出力するインターフェースと、前記記録媒体に記録されたファイルの情報を表示する表示部と、前記表示部の表示に必要な情報を取得し、各部の動作を制御する制御部とを備え、前記記録媒体は、複数の音楽ファイル群に分類されて前記音楽ファイルが記録され、前記複数の音楽ファイル群に対応して、対応する前記音楽ファイル群に属する前記音楽ファイルの曲名をそれぞれ記録した複数の管理テーブルが設けられ、前記制御部は、ユーザーの選択に応じて前記複数の管理テーブルのうちの１つを選択し、該選択した管理テーブルの記録に基づいて、対応する前記音楽ファイル群からユーザーの選択した音楽ファイルを検出して再生し、前記記録媒体に記録されたファイルの一覧表示において、ユーザーの選択に応じて前記複数の管理テーブルのうちの１つを選択し、他の管理テーブルに対応する前記音楽ファイル群の前記音楽ファイルを表示対象から除外し、該選択した管理テーブルに記録された曲名を、前記他のファイルのファイル名と共に表示する。
【００１４】
また請求項４の発明は、記録媒体に記録された音楽ファイルを再生してユーザーに提供する音楽プレイヤーの制御方法に適用して、前記音楽プレイヤーは、前記記録媒体に記録された前記音楽ファイル、他のファイルを再生する再生部と、前記再生部で再生された前記他のファイルを外部機器に出力するインターフェースと、前記記録媒体に記録されたファイルの情報を表示する表示部と、前記表示部の表示に必要な情報を取得し、各部の動作を制御する制御部とを備え、前記記録媒体には、複数の音楽ファイル群に分類されて前記音楽ファイルが記録され、前記複数の音楽ファイル群に対応して、対応する前記音楽ファイル群に属する前記音楽ファイルの曲名をそれぞれ記録した複数の管理テーブルが設けられ、前記音楽プレイヤーの制御方法は、ユーザーの選択に応じて前記複数の管理テーブルのうちの１つを選択し、該選択した管理テーブルの記録に基づいて、対応する前記音楽ファイル群からユーザーの選択した音楽ファイルを検出して再生する音楽提供のステップと、前記記録媒体に記録されたファイルの一覧表示において、ユーザーの選択に応じて前記複数の管理テーブルのうちの１つを選択し、他の管理テーブルに対応する前記音楽ファイル群の前記音楽ファイルを表示対象から除外し、該選択した管理テーブルに記録された曲名を、前記他のファイルのファイル名と共に表示するファイル表示のステップとを有するようにする。
【００１５】
請求項１又は請求項４の構成によれば、複数の管理テーブルを記録して異なる複数のファイル管理システムに対応可能に音楽プレイヤーを構成する場合でも、ユーザーの選択したシステム以外については、一覧表示しないようにすることができる。従って他のファイルをファイル名により表示する場合でも、他のシステムに係る音楽ファイルのファイル名については表示しないようにすることができ、故障したかのような印象をユーザーに与えないようにすることができる。
【発明の効果】
【００１６】
本発明によれば、異なる複数のファイル管理システムに対応可能に音楽プレイヤーを構成する場合において、ファイルの一覧表示における不都合を有効に回避することができる。
【発明を実施するための最良の形態】
【００１７】
以下、適宜図面を参照しながら本発明の実施例を詳述する。
【実施例１】
【００１８】
図２は、本発明の実施例１の携帯型音楽プレイヤーを示すブロック図である。この携帯型音楽プレイヤー１は、例えばＵＳＢ（Universal Serial Bus）によりコンピュータ２に接続し、このコンピュータ２にインストールされた音楽ソフトにより音楽ファイルをダウンロードして記録し、ユーザーの操作に応動してこの記録した音楽ファイルを再生してユーザーに提供する。なおここで音楽ソフトは、インターネットに接続して音楽ファイルを取得し、携帯型音楽プレイヤー１にダウンロードするアプリケーションプログラムである。
【００１９】
この携帯型音楽プレイヤー１は、管理テーブルの構成が異なるファイル管理システムを採用する２種類の音楽ソフト３Ａ及び３Ｂにより音楽ファイルを記録可能に構成され、またこの音楽ソフト３Ａ及び３Ｂにより記録した音楽ファイルを再生可能に構成され、これにより管理テーブルの構成が異なる２種類のファイル管理システムに対応可能に構成される。なお以下において、適宜、音楽ソフト３Ａ及び３Ｂによるファイル管理システムをそれぞれシステムＡ及びＢと呼ぶ。またこの携帯型音楽プレイヤー１は、コンピュータ２の外部記憶装置としても使用可能であり、この場合には、コンピュータ２から転送される各種のファイルを記録して保持し、またコンピュータ２からのアクセスにより記録して保持したファイルを再生してコンピュータ２に出力する。
【００２０】
すなわちこの携帯型音楽プレイヤー１において、インターフェース（Ｉ／Ｆ）５は、例えばＵＳＢ（Universal Serial Bus）の入出力回路であり、コンピュータ２との間で種々のデータ、コマンド等を送受する。電源６は、充電可能な二次電池の電源、インターフェース５を介して入力される外部機器の電源を、この携帯型音楽プレイヤー１の各部に供給する。
【００２１】
ディジタルアナログ変換回路（Ｄ／Ａ）７は、中央処理ユニット８から出力されるオーディオデータをディジタルアナログ変換処理し、アナログ信号によるオーディオ音楽信号を出力する。アンプ９は、ディジタルアナログ変換回路７から出力されるオーディオ信号によりイヤフォン１０を駆動し、イヤフォン１０で音楽を再生する。
【００２２】
記録再生部１１は、例えばハードディスク装置、光ディスク、メモリ等の記録媒体を有し、中央処理ユニット８の制御により、中央処理ユニット８から出力される音楽ファイル、管理テーブルのデータ等を記録媒体に記録し、またこの記録媒体に記録した各種のデータを再生して中央処理ユニット８に出力する。
【００２３】
表示部１２は、例えば液晶表示パネルで構成され、中央処理ユニット８の制御により、記録再生部１１に記録されたファイル、アーティスト名、アルバム名等を表示する。
【００２４】
入力部１３は、ユーザーの操作を受け付ける操作子等により構成され、ユーザーの操作を検出して中央処理ユニット８に通知する。入力部１３は、この携帯型音楽プレイヤー１が対応可能な２種類のファイル管理システムのうちの１つを選択するシステム切り換えの操作子が設けられ、携帯型音楽プレイヤー１は、このシステム切り換えの操作子でユーザーが選択したファイル管理システムにより音楽ファイルをユーザーに提供する。
【００２５】
中央処理ユニット８は、図示しないメモリに記録されたプログラムに従ってこの携帯型音楽プレイヤー１の各部の動作を制御する制御部である。中央処理ユニット８は、起動時、システム切り換えの操作子でユーザーの選択したシステムＡ又はＢのプログラムにより動作を立ち上げる。
【００２６】
中央処理ユニット８は、インターフェース５からコンピュータ２への接続が通知されると、コンピュータ２の制御により、記録再生部１１に設けられた記録媒体のディレクトリ構造をコンピュータ２に通知する。またこの通知によりコンピュータ２から各種ファイルの再生が指示されると、記録再生部１１の制御によりコンピュータ２により指示されたファイルを再生してコンピュータ２に出力する。またコンピュータ２からディレクトリの作成が指示されると、コンピュータ２の指示に従って記録媒体にディレクトリを作成する。またコンピュータ２からファイルの記録が指示されると、インターフェース５を介して入力されるデータを記録再生部１１に出力して記録媒体に記録する。これによりこの携帯型音楽プレイヤー１は、コンピュータ２により指示したディレクトリ構造でコンピュータ２のファイルを記録、再生でき、コンピュータ２の外部記録装置として使用することができる。
【００２７】
これに対してコンピュータ２に接続した状態で、コンピュータ２で音楽ソフト３Ａ又は３Ｂが立ち上げられ、この音楽ソフト３Ａ又は３Ｂにより音楽ファイルのダウンロードが指示されると、インターフェース５を介して入力される音楽ファイルを記録再生部１１に記録する。またこのときこの音楽ファイルの記録に対応するようにそれぞれ対応するファイル管理システムの管理テーブルを更新し、さらにはディレクトリを作成する。なおこの管理テーブルの更新、ディレクトリの作成等の処理は、音楽ソフト３Ａ又は３Ｂに対応する記録媒体のディレクトリ構造、対応する管理テーブルを音楽ソフト３Ａ又は３Ｂに通知し、この音楽ソフト３Ａ又は３Ｂの指示に従って記録媒体の記録を書き換えて実行するようにしてもよく、また音楽ソフト３Ａ又は３Ｂからの音楽ファイルの記録の指示に対応して、中央処理ユニット８で管理テーブルを作成して書き換えることにより実行してもよい。但し、中央処理ユニット８で実行する場合には、コンピュータ２で実行する音楽ソフト３Ａ又は３Ｂに対応するように、システム切り換えの操作子でシステムＡ又はＢのプログラムにより動作を立ち上げておくことが必要である。なお管理テーブルに記録する曲名、アーティスト名、アルバム名等は、例えば音楽ソフト３Ａ又は３Ｂが所定のホームページをアクセスして取得する。
【００２８】
また音楽ソフト３Ａ又は３Ｂにより記録再生部１１に記録した音楽ファイルの再生、アップロードが指示されると、中央処理ユニット８は、指示された音楽ファイルを記録再生部１１で再生してコンピュータ２に出力する。なお音楽ソフト３Ａ、３Ｂは、例えば記録再生部１１に記録した音楽ファイルを順次再生するプレイリスト等についても入力を受け付けることができ、中央処理ユニット８は、このプレイリスト等についても、音楽ソフト３Ａ、３Ｂから取得して対応する管理テーブルに記録する。
【００２９】
これら音楽ソフト３Ａ又は３Ｂにより、中央処理ユニット８は、記録再生部１１に設けられた記録媒体に図３に示すディレクトリ構造を形成して音楽ファイル、管理テーブルを記録する。
【００３０】
ここで符号Ａで示すディレクトリ構造は、音楽ソフト３Ａにより形成されるディレクトリ構造であり、ルートディレクトリの下に、ディレクトリ名control のディレクトリ、ディレクトリ名dataのディレクトリ等が形成される。またディレクトリ名control のディレクトリの下に、音楽ファイルを格納するディレクトリ名music のディレクトリ、管理テーブルを格納するディレクトリ名workのディレクトリ等が形成される。音楽ソフト３Ａによるディレクトリ構造は、このディレクトリ名music のディレクトリの下に、ディレクトリ名F00 、F01 等のディレクトリが設けられ、これらディレクトリ名F00 、F01 のディレクトリの下に、ファイル名ABSZ.mp3、ABXE.mp3、AKXC.mp3等の音楽ファイルが格納される。
【００３１】
この音楽ソフト３Ａにより形成されるディレクトリ構造では、この音楽ファイルのファイル名ABSZ.mp3、ABXE.mp3、AKXC.mp3、各音楽ファイルを格納するディレクトリ名F00 、F01のディレクトリが一定の規則に従って音楽ソフト３Ａにより、又は中央処理ユニット８により設定される。またこれらの音楽ファイルの曲名、パス、アーティスト名、アルバム名、プレイリスト等により管理テーブルが形成され、この管理テーブルがディレクトリ名workのディレクトリに格納される。
【００３２】
これに対して符号Ｂで示すディレクトリ構造は、音楽ソフト３Ｂにより形成されるディレクトリ構造であり、ルートディレクトリの下に、ディレクトリ名music のディレクトリ、ディレクトリ名systemのディレクトリ等が形成される。またディレクトリ名music のディレクトリの下に、ディレクトリ名AAA 、AABのディレクトリ等が作成され、これらのディレクトリ名AAA、AAB 等のディレクトリの下に、ファイル名mu001.mp3 、mu002.mp3 、mu003.mp3等の音楽ファイルが格納される。
【００３３】
この音楽ソフト３Ｂにより形成されるディレクトリ構造では、この音楽ファイルのファイル名mu001.mp3 、mu002.mp3 、mu003.mp3 、各音楽ファイルを格納するディレクトリ名AAA 、AABのディレクトリが一定の規則に従って音楽ソフト３Ｂにより、又は中央処理ユニット８により設定される。またこれらの音楽ファイルの曲名、パス、アーティスト名、アルバム名、プレイリスト等により管理テーブルが形成され、この管理テーブルがディレクトリ名systemのディレクトリに格納される。なおこの図３に示す音楽ソフト３Ａ、３Ｂによるディレクトリ構造では、音楽ファイルのみ記述したが、これら音楽ソフト３Ａ、３Ｂによるディレクトリ構造では、音楽ファイル以外の各種処理に必要なファイルが、それぞれ対応するディレクトリに格納される。なおこのようなファイルは、例えば音楽ソフト３Ａ、３Ｂとの間の認証に使用するファイル等である。
【００３４】
これに対して符号Ｃで示すディレクトリ構造は、コンピュータ２により直接作成されたディレクトリ構造であり、この図３の例では、ルートディレクトリの下に、ディレクトリ名my picture のディレクトリが形成され、このディレクトリ名my picture のディレクトリの下に、ディレクトリ名ski のディレクトリ、ディレクトリ名drive のディレクトリが作成されている。またディレクトリ名ski のディレクトリ、ディレクトリ名drive のディレクトリの下には、それぞれファイル名001.jpg 、002.jpg 、003.jpg 、……等の静止画ファイルが格納されている。
【００３５】
この図３に係る構成により、この携帯型音楽プレイヤー１の記録媒体には、システムＡに属する音楽ファイルによる第１の音楽ファイル群、この第１の音楽ファイル群の第１の管理テーブル、第１の音楽ファイル群とは異なるシステムＢに属する音楽ファイルによる第２の音楽ファイル群、この第２の音楽ファイル群の第２の管理テーブルとが形成される。
【００３６】
これに対してコンピュータ２が接続されていない状態で、ユーザーによる入力部１３の操作により曲名、アーティスト名、アルバム名、プレイリスト等の一覧表示が指示されると、中央処理ユニット８は、記録再生部１１に記録された対応する管理テーブルからこれら一覧表示に必要な情報を取得して表示部１２で表示する。またこの表示において、ユーザーが何れかの表示を選択してファイルの再生を指示すると、対応する音楽ファイルを記録再生部１１で順次再生し、その結果得られる音楽ファイルのデータをデータ伸長してオーディオデータを生成する。この携帯型音楽プレイヤー１では、このオーディオデータをディジタルアナログ変換回路７でオーディオ信号に変換した後、アンプ９によりこのオーディオ信号でイヤフォン１０を駆動し、ユーザーの所望する音楽ファイルをユーザーに提供する。
【００３７】
これにより中央処理ユニット８は、対応可能な２つのシステムＡ及びＢのうちの、システムＡにより動作が立ち上げられている場合には、システムＡの管理テーブルに記録された曲名、アーティスト名、アルバム名、プレイリストにより、それぞれ曲名、アーティスト名、アルバム名、プレイリストを一覧表示し、ユーザーによる選択を受け付ける。またこれとは逆に、システムＢにより動作が立ち上げられている場合には、システムＡの管理テーブルに記録された曲名、アーティスト名、アルバム名、プレイリストを一覧表示し、ユーザーによる選択を受け付ける。
【００３８】
これによりこの携帯型音楽プレイヤー１は、システムＡ及びＢによる異なる２種類のファイル管理システムに対応可能に構成される。
【００３９】
これに対してユーザーが記録媒体に記録されたファイルの一覧表示を指示すると、中央処理ユニット８は、図１に示す処理手順を実行し、ユーザーが選択したファイル管理システムによる音楽ファイルの曲名と、コンピュータ２により直接記録したファイルのファイル名とを表示する。
【００４０】
すなわち中央処理ユニット８は、この処理手順を開始すると、ステップＳＰ１からステップＳＰ２に移り、カレントディレクトリをルートディレクトリに設定する。続いて中央処理ユニット８は、ステップＳＰ３に移り、カレントディレクトリに未処理のファイルが存在するか否か判断する。ここで肯定結果が得られると、中央処理ユニット８は、この未処理のファイルを処理対象のファイルに設定してステップＳＰ３からステップＳＰ４に移り、この処理対象のファイルが、システム切り換えの操作子で起動時にユーザーが選択していたファイル管理システムに属するファイルか否か判断する。
【００４１】
ここで中央処理ユニット８は、現在のカレントディレクトリのディレクトリ構造を解析し、この処理対象ファイルが、起動時に選択されていたファイル管理システムに属するファイルか否か判断する。具体的に、中央処理ユニット８は、現在のカレントディレクトリのディレクトリ名、現在のカレントディレクトリが属する上位のディレクトリのディレクトリ名を判定し、処理対象ファイルが起動時に選択されていたファイル管理システムに属するファイルか否か判断する。
【００４２】
ここでステップＳＰ４で肯定結果が得られると、中央処理ユニット８は、ステップＳＰ４からステップＳＰ５に移る。ここで中央処理ユニット８は、対応するシステムの管理テーブルから処理対象ファイルの曲名を検出する。またこの検出した曲名を表示部１２の表示対象に設定した後、ステップＳＰ３に戻り、処理対象ファイルを切り換える。
【００４３】
これに対して例えば処理対象ファイルがコンピュータ２により直接記録されたファイルの場合、又はユーザーが起動時に選択していない他方のシステムによるファイルの場合、ステップＳＰ４で否定結果が得られ、中央処理ユニット８は、ステップＳＰ４からステップＳＰ６に移る。ここで中央処理ユニット８は、ステップＳＰ４と同様のディレクトリ構造の解析により、処理対象ファイルが、ユーザーが選択していない他方のシステムによるファイルか否か判断する。
【００４４】
ここで肯定結果が得られると、中央処理ユニット８は、ステップＳＰ６からステップＳＰ３に戻り、処理対象ファイルを切り換える。これに対してステップＳＰ６で否定結果が得られると、中央処理ユニット８は、ステップＳＰ６からステップＳＰ７に移り、この場合、この処理対象のファイル名を表示部１２の表示対象に設定した後、ステップＳＰ３に戻り、処理対象ファイルを切り換える。
【００４５】
これにより中央処理ユニット８は、ステップＳＰ３〜ステップＳＰ７の処理手順を繰り返して、カレントディレクトリに格納されたファイルを判別し、判定結果に基づいて表示に供する曲名、ファイル名を選択し、さらには表示対象から除外する。またカレントディレクトリに格納された全てのファイルを処理すると、ステップＳＰ３で否定結果が得られることにより、ステップＳＰ３からステップＳＰ８に移る。
【００４６】
このステップＳＰ８において、中央処理ユニット８は、全てのディレクトリを処理したか否か判断し、ここで否定結果が得られると、ステップＳＰ８からステップＳＰ９に移り、未処理のディレクトリにカレントディレクトリを切り換えた後、ステップＳＰ３に戻る。これに対してステップＳＰ８で肯定結果が得られると、ステップＳＰ８からステップＳＰ１０に移ってこの処理手順を終了する。
【００４７】
中央処理ユニット８は、この図１の処理手順で表示対象に設定したファイルの曲名、ファイル名により、図４及び図５に示すように、曲名、ファイル名を一覧表示する。ここで図４は、図３との対比によりシステムＡを選択した状態で起動した場合の表示例を示す図であり、中央処理ユニット８は、ユーザーの操作に応動して表示部１２における表示をスクロールさせて、この図４に示す階層構造により曲名、ファイル名を表示する。また図５は、図３、図４との対比によりシステムＢを選択した状態で起動した場合の表示例を示す図である。
【００４８】
（２）実施例の動作
以上の構成において、この携帯型音楽プレイヤー１は（図２）、コンピュータ２に接続された後、このコンピュータ２に実装された音楽ソフト３Ａ又は３Ｂにおいて、ユーザーが携帯型音楽プレイヤー１への音楽ファイルの記録を指示すると、インターフェース５を介してコンピュータ２から音楽ファイルが入力され、記録再生部１１によりこの音楽ファイルが記録媒体に記録される。このとき携帯型音楽プレイヤー１では、この音楽ソフト３Ａ及び３Ｂにそれぞれ対応するように、それぞれ音楽ソフト３Ａ、３Ｂの一定の規則に従って音楽ファイルのファイル名が設定されて記録媒体に記録され、また少なくとも各音楽ファイルの曲名を記録した管理テーブルがそれぞれ音楽ソフト３Ａ、３Ｂ毎に記録媒体に記録される。これによりこの携帯型音楽プレイヤー１は、音楽ソフト３Ａ及び３Ｂにそれぞれ対応するシステムＡ及びＢによるファイル管理システムによりファイル再生可能に音楽ファイルが記録される（図３）。
【００４９】
また携帯型音楽プレイヤー１では、入力部に設けられたシステム切り換えの操作子により、これらシステムＡ又はＢのファイル管理システムにより動作するように動作を立ち上げ、ユーザーによる入力部１３の操作に応動して、対応する管理テーブルに記録された曲名、アーティスト名、アルバム名、プレイリストを一覧表示する。携帯型音楽プレイヤー１では、この一覧表示においてユーザーが曲名、アーティスト名、アルバム名、プレイリストを選択して音楽ファイルの再生を指示すると、中央処理ユニット８により対応する管理テーブルが検索され、ユーザーの選択した曲名、アーティスト名、アルバム名、プレイリストの音楽ファイル名が検出される。携帯型音楽プレイヤー１では、中央処理ユニット８の制御により、この検出したファイル名の音楽ファイルが記録再生部１１で再生されて中央処理ユニット８によりデータ伸長された後、ディジタルアナログ変換回路７、アンプ９、イヤフォン１０を順次介してユーザーに提供される。これによりこの携帯型音楽プレイヤー１は、音楽ソフト３Ａ及び３Ｂにそれぞれ対応するシステムＡ及びＢによるファイル管理システムにより、記録媒体に記録された音楽ファイルを順次再生してユーザーに提供する。
【００５０】
また携帯型音楽プレイヤー１は、コンピュータ２に接続して、例えば表計算ソフト、ワープロソフト等で作成したファイルの携帯型音楽プレイヤー１への記録が指示されると、さらにはメールソフトで取得した電子メール、各種画像ファイル等の携帯型音楽プレイヤー１への記録が指示されると、インターフェース５を介してコンピュータ２からこれらのファイルが入力され、記録再生部１１により記録媒体に記録される。このときこれらのファイルは、コンピュータ２により指示されたディレクトリ構造により記録媒体に記録される。またコンピュータ２の指示により、携帯型音楽プレイヤー１の記録媒体に記録された各種ファイルが記録再生部１１で再生されてインターフェース５よりコンピュータ２に出力される。これにより携帯型音楽プレイヤー１は、コンピュータ２の外部記憶装置として使用して各種のファイルを記録することができる。
【００５１】
ところでコンピュータ２の外部記憶装置として使用する場合に、携帯型音楽プレイヤー１に記録したファイルを表示部１２で確認することができれば、便利である。
【００５２】
そこでこの携帯型音楽プレイヤー１では、ユーザーがファイルの一覧表示を指示すると、記録媒体に記録されたファイルを、記録媒体の階層構造により表示する。
【００５３】
しかしながらこのようにするとファイルの一覧表示において、音楽ファイルについては、記録時に設定された一定の規則によるファイル名で表示されることになり、携帯型音楽プレイヤーが故障したかのような印象をユーザーに与えることになる。このように記録時に設定された一定の規則によるファイル名で表示される音楽ファイルのうち、管理テーブルにより曲名を検出可能な音楽ファイルについては、管理テーブルにより曲名を検出し、ファイル名に代えて曲名を表示することにより、携帯型音楽プレイヤー１が故障したかのような印象をユーザーに与えないようにすることができる。
【００５４】
しかしながら例えばこの携帯型音楽プレイヤー１がシステムＡにより起動している場合には、システムＢに属する音楽ファイルについては、対応する管理テーブルを用いて曲名を検出することが困難になり、結局、記録時に設定された一定の規則によるファイル名が表示されることになり、携帯型音楽プレイヤー１が故障したかのような印象をユーザーに与えることになる。
【００５５】
そこでこの携帯型音楽プレイヤー１では、他のシステムの音楽ファイルについては、表示対象から除外し（図１、図４及び図５）、これにより携帯型音楽プレイヤーが故障したかのような状況を防止する。
【００５６】
具体的に、この携帯型音楽プレイヤー１では、記録媒体のディレクトリを順次辿って表示対象の候補のファイルを検出し、このファイルの属するディレクトリを解析して何れのシステムに属するファイルか否か判定される。
【００５７】
すなわち携帯型音楽プレイヤー１では、コンピュータ２に接続して外部記憶装置として使用できることから、各システムＡ及びＢにおいて、管理テーブルの記録と実際に記録媒体に記録されている音楽ファイルとが整合していない場合も予測される。しかしながらこの実施例のように表示対象の候補のファイルを検出し、このファイルの属するディレクトリを解析して何れのシステムに属するファイルか判定すれば、管理テーブルと実際に記録媒体に記録されている音楽ファイルとが整合していない場合における各種の不都合を解消することができる。なおこの不都合は、例えばユーザーが一覧表示において音楽ファイルを確認してコンピュータ２にアップロードしようとした場合に、この音楽ファイルが実際には記録媒体から削除されていた等の不都合である。
【００５８】
携帯型音楽プレイヤー１では、この判定結果により、現在起動しているシステムではない、他のシステムの音楽ファイルについては、一覧表示の表示対象から除外し、コンピュータ２により記録された各種ファイルのファイル名を、現在起動しているシステムにおける音楽ファイルの曲名と共に表示し、ユーザーの使い勝手を向上する。
【００５９】
（３）実施例の効果
以上の構成によれば、ファイルの一覧表示において、ユーザーの選択したシステムに対応する管理テーブルの曲名のみ選択的に表示することにより、異なる複数のファイル管理システムに対応可能に音楽プレイヤーを構成する場合において、ファイルの一覧表示における不都合を有効に回避することができる。
【００６０】
またこの一覧表示において、記録媒体に記録された音楽ファイルの属するディレクトリの解析により、音楽ファイルの属するファイル群を検出し、対応する管理テーブルより表示部で表示する曲名を検出することにより、管理テーブルの記録と実際に記録媒体に記録されている音楽ファイルとが整合していない場合の種々の不都合を防止することができる。
【実施例２】
【００６１】
この実施例の携帯型音楽プレイヤーでは、上述したシステムＡ、システムＢによる起動に加えて、第３の動作モードにより起動できるように構成される。なおこの実施例の携帯型音楽プレイヤーは、この第３の動作モードに関する構成が異なる点を除いて、上述の実施例１の携帯型音楽プレイヤー１と同一に構成されることから、この実施例では、実施例１の図面を流用して説明する。
【００６２】
この実施例の携帯型音楽プレイヤーにおいて、中央処理ユニット８は、コンピュータ２に接続されている場合、システムＡ又はシステムＢによる起動した場合、上述の実施例における中央処理ユニット８と同一に各部の動作を制御する。これに対して第３の動作モードで起動され、ユーザーがファイルの一覧表示を指示すると、ディレクトリ構造の解析により、システムＡ及びシステムＢに属するファイルを表示対象から除外し、図３において、符号Ｃにより示すディレクトリ構造によるファイルのみ表示対象に設定する。中央処理ユニット８は、この表示対象のファイル名のみ選択的に表示する。またこの表示において、ユーザーがファイル名を選択して再生を指示すると、この選択したファイルの拡張子を判定して音楽ファイルか否か判定し、音楽ファイルの場合、再生してユーザーに提供する。これに対して音楽ファイル以外の静止画ファイル等の場合、再生困難な旨のメッセージを表示して処理を中止する。
【００６３】
この実施例によれば、さらに管理テーブルが設けられていない音楽ファイル群の音楽ファイルを再生する第３の動作モードで起動してファイル名を表示する場合に、管理テーブルに記録された音楽ファイルを表示対象から除外することにより、管理テーブルが設けられていない音楽ファイルの一覧表示に関して不都合を有効に回避し、実施例１と同様の効果を得ることができる。
【実施例３】
【００６４】
なお上述の実施例においては、ファイルの一覧表示において、記録媒体のディレクトリ構造によりファイル名、曲名を表示する場合について述べたが、本発明はこれに限らず、ファイル名、曲名の羅列により一覧表示してもよい。
【００６５】
また上述の実施例においては、ファイルの一覧表示において、コンピュータにより記録されたファイルのファイル名を音楽ファイルの曲名と共に表示する場合について述べたが、本発明はこれに限らず、例えば曲名の一覧表示等において、併せてコンピュータにより記録されたファイルのファイル名を音楽ファイルの曲名と共に表示するようにしてもよい。
【００６６】
また上述の実施例においては、２種類のファイル管理システムに対応可能に音楽プレイヤーを構成する場合について述べたが、本発明はこれに限らず、３種類以上のファイル管理システムに対応可能に音楽プレイヤーを構成する場合にも広く適用することができる。
【００６７】
また上述の実施例においては、図３により明らかなように、いわゆるＭＰ３フォーマットによる音楽ファイルを記録再生する場合について述べたが、本発明はこれに限らず、種々のフォーマットによる音楽ファイルを記録再生する場合、さらにはデータ圧縮伸長処理を省略して音楽ファイルを記録再生する場合等にも広く適用することができる。
【００６８】
また上述の実施例においては、管理テーブルに曲名、ファイル名等を記録する場合について述べたが、本発明はこれに限らず、例えば符号化方式、音場の設定情報等、オーディオデータの処理に必要な情報等を併せて記録する場合等にも広く適用することができる。
【００６９】
また上述の実施例においては、記録媒体を内蔵した携帯型音楽プレイヤーに本発明を適用した場合について述べたが、本発明はこれに限らず、記録媒体を着脱可能に保持する携帯型音楽プレイヤー、さらには据え置き型の音楽プレイヤー、さらには映像コンテンツをも再生可能なプレイヤー等に広く適用することができる。
【産業上の利用可能性】
【００７０】
本発明は、例えば携帯型音楽プレイヤーに適用することができる。
【図面の簡単な説明】
【００７１】
【図１】本発明の実施例１の携帯型音楽プレイヤーにおける処理手順を示すフローチャートである。
【図２】本発明の実施例１の携帯型音楽プレイヤーを示すブロック図である。
【図３】図２の携帯型音楽プレイヤーにおけるディレクトリ構造を示す図表である。
【図４】システムＡによる起動時の図１の処理による一覧表示を示す平面図である。
【図５】システムＢによる起動時の図１の処理による一覧表示を示す平面図である。
【符号の説明】
【００７２】
１……携帯型音楽プレイヤー、２……コンピュータ、３Ａ、３Ｂ……音楽ソフト、８……中央処理ユニット、１１……記録再生部、１２……表示部１２……入力部
【図１】
2008198288.tif 000003
【図２】
2008198288.tif 000004
【図３】
2008198288.tif 000005
【図４】
2008198288.tif 000006
【図５】
2008198288.tif 000007